(57)【要約】【課題】配線または配線アレイが透明基板の活性領域に配置される場合にも、良好な視認性が得られるとともに、透明基板の非活性領域を縮小することで、構造を小型化し、同一の面積において画面領域がより広くなるという利点を有するタッチパネルを提供する。【解決手段】本発明のタッチパネルは、透明基板と、前記透明基板にメッシュ（ｍｅｓｈ）パターンに形成される電極２００と、前記透明基板にジグザグ（ｚｉｇｚａｇ）パターンに形成され、長さ方向に沿って交互に連続する第１ピーク３０１及び第２ピーク３０２を有し、電極２００に連結される配線３００と、を含むものである。【選択図】図４
2014038589.tif 000002
【特許請求の範囲】
【請求項１】
透明基板と、
前記透明基板にメッシュ（ｍｅｓｈ）パターンに形成される電極と、
前記透明基板にジグザグ（ｚｉｇｚａｇ）パターンに形成され、長さ方向に沿って交互に連続する第１ピーク及び第２ピークを有し、前記電極に連結される配線と、
を含むタッチパネル。
【請求項２】
前記電極は、同一形状の平行四辺形パターンが連続して配列されるメッシュパターンに形成され、前記電極の列パターンは、多数の前記平行四辺形パターンの第１対角線が第１方向の同一線上につながるように、前記平行四辺形パターンが第１方向に沿って連続して配列されている請求項１に記載のタッチパネル。
【請求項３】
前記配線は、前記電極の第１列パターンに近接して配置され、長さ方向を第１方向に形成する請求項２に記載のタッチパネル。
【請求項４】
前記第１列パターン側に向かう前記配線の第１ピークは、前記第１列パターンを形成する前記平行四辺形パターンの第２対角線方向に位置する頂点のうち前記配線側に近い頂点に直接連結される請求項３に記載のタッチパネル。
【請求項５】
前記配線の第１ピーク間の幅は、前記平行四辺形パターンの第１対角線の幅と同一である請求項４に記載のタッチパネル。
【請求項６】
前記電極及び前記配線は、同一の材料で一体に形成される請求項１に記載のタッチパネル。
【請求項７】
前記透明基板は、活性領域と非活性領域とに区画され、
前記電極及び前記配線は前記活性領域に形成される請求項１に記載のタッチパネル。
【請求項８】
透明基板と、
前記透明基板にメッシュ（ｍｅｓｈ）パターンに形成され、前記メッシュパターンに切開部が形成されることで第１電極と第２電極とに区画される電極アレイと、
前記透明基板にジグザグ（ｚｉｇｚａｇ）パターンに形成され、長さ方向に沿って交互に連続する第１ピーク及び第２ピークを有する第１配線と、第２配線とを含み、前記第１配線は前記第１電極に連結され、前記第２配線は前記第２電極に連結される配線アレイと、
を含むタッチパネル。
【請求項９】
前記第１電極及び前記第２電極は、前記電極アレイを形成する前記メッシュパターンに切開部が横方向に沿って形成されて縦方向に配置される請求項８に記載のタッチパネル。
【請求項１０】
前記第１電極及び前記第２電極は、同一形状の平行四辺形パターンが連続して配列されるメッシュパターンに形成され、前記第１電極の列パターン及び前記第２電極の列パターンは、多数の前記平行四辺形パターンの第１対角線が縦方向の同一線上につながるように、前記平行四辺形パターンが縦方向に連続して配列されている請求項９に記載のタッチパネル。
【請求項１１】
前記第１電極の第１列パターンは、前記第２電極の第２列パターンと同一線上に形成される請求項１０に記載のタッチパネル。
【請求項１２】
前記第１配線は、前記第１電極の第１列パターンに近接して配置され、長さ方向を縦方向に形成し、前記第２配線は、前記第２電極の第１列パターンに近接して配置され、長さ方向を縦方向に形成する請求項１１に記載のタッチパネル。
【請求項１３】
前記第１配線及び前記第２配線の前記第１ピーク間の幅は、前記平行四辺形パターンの第１対角線の幅と同一である請求項１２に記載のタッチパネル。
【請求項１４】
前記第１電極の第１列パターン側に向かう前記第１配線の第１ピークは、前記第１電極の第１列パターンを形成する前記平行四辺形パターンの頂点のうち前記第１配線側に向かう頂点に直接連結される請求項１３に記載のタッチパネル。
【請求項１５】
前記第２電極の第１列パターン側に向かう前記第２配線の第１ピークは、前記第２電極の第１列パターンを形成する前記平行四辺形パターンの頂点のうち前記第２配線側に向かう頂点に直接連結される請求項１３に記載のタッチパネル。
【請求項１６】
前記透明基板には、前記第１配線と前記第２配線とが互いに隣接して平行に配置される隣接区間が形成される請求項１３に記載のタッチパネル。
【請求項１７】
前記隣接区間で、前記第１配線の第２ピークと、前記第２配線の第１ピークとが互いに対向して離隔している請求項１６に記載のタッチパネル。
【請求項１８】
前記第１配線の第２ピーク及び前記第２配線の第１ピークのうち何れか一つまたは両方の端部が、縦方向を長さ方向にする直線部である請求項１７に記載のタッチパネル。
【請求項１９】
前記直線部の上側または下側に、横方向に突出するように折り曲げられた突出部が形成される請求項１８に記載のタッチパネル。
【請求項２０】
前記第１配線の第２ピーク及び前記第２配線の第１ピークのうち何れか一つまたは両方の端部が、対角方向を長さ方向にする直線部である請求項１７に記載のタッチパネル。
【請求項２１】
前記第１配線の第２ピークの端部及び前記第２配線の第１ピークの端部が、対角方向を長さ方向にする直線部からなり、前記第１配線の直線部と前記第２配線の直線部が、互いに平行である請求項１７に記載のタッチパネル。
【請求項２２】
前記隣接区間で、前記第１配線の第１ピークと前記第２配線の第２ピークとの間の直線距離が、前記平行四辺形パターンの第２対角線の幅と同一であり、前記第１配線の第１ピークと前記第２配線の第２ピークとの間を連結する直線方向が、前記直線方向に配置された前記平行四辺形パターンの第２対角線方向と一致する請求項１７に記載のタッチパネル。
【請求項２３】
前記電極アレイ及び前記配線アレイは、同一の材料で形成される請求項８に記載のタッチパネル。
【請求項２４】
前記透明基板は、活性領域と非活性領域とに区画され、
前記電極アレイ及び前記配線アレイは、前記活性領域に形成される請求項８に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
従来の静電容量方式タッチパネルの一例として、特許文献１に開示されたタッチパネルが挙げられる。上記の特許文献１に開示されたタッチパネルは、透明基板上に２軸方向を有し、且つ互いに交差する多数の電極が形成されている。
【０００８】
そして、多数の電極の一端にその電極と電気的に連結されるように配線が形成され、配線の末端に形成されるパッド部にＦＰＣＢ（Ｆｌｅｘｉｂｌｅ  Ｐｒｉｎｔｅｄ  Ｃｉｒｃｕｉｔ  Ｂｏａｒｄ；フレキシブルプリント基板）が電気的に連結される。
【０００９】
このような構造を有する従来のタッチパネルは、透明基板またはウィンドウガラス（ｗｉｎｄｏｗ  ｇｌａｓｓ）を介して外部に露出される透明基板の活性領域に前記電極が配置され、外部に露出されていない透明基板の非活性領域に前記配線が配置される。
【００１０】
配線が非活性領域に配置される理由は、配線が一般的に直線状を有するため、透明基板の活性領域に配置される前記電極とパターンの均一性を有しないためである。
【００１１】
換言すれば、前記電極がメッシュ（ｍｅｓｈ）パターンに形成される場合、直線状の配線と電極は、均一なパターンを有しない。従って、電極と配線がともに活性領域に形成される場合、タッチパネルの視認性が劣化するという問題が発生する。
【００１２】
そのため、従来のタッチパネルは、上記の特許文献１に開示されたタッチパネルと同様に、透明基板の非活性領域に配線が配置される。
【００１３】
従来のタッチパネルの構造は、上述したように配線が透明基板の非活性領域に配置されることにより、タッチパネルの非活性領域の幅が大きくなる欠点がある。
【００１４】
このような欠点により、タッチパネルの構造が適用される端末機の小型化が阻害され、または、同じサイズの機器においてタッチ領域となる透明基板の活性領域が縮小されるという限界点を有する。
【先行技術文献】
【特許文献】
【００１５】
【特許文献１】韓国公開特許第１０−２０１１−０１２０１５７号公報
【発明の概要】
【発明が解決しようとする課題】
【００１６】
本発明は上記の従来技術の問題点を解決するためのものであって、配線が電極とともに透明基板の活性領域に配置されるようにすることで、タッチパネルの非活性領域の幅が縮小されるタッチパネルを提供することをその目的とする。
【００１７】
また、本発明は、透明基板の電極と配線が均一なパターンに形成されるようにして、タッチパネルの視認性が向上されるタッチパネルを提供することをその目的とする。
【課題を解決するための手段】
【００１８】
本発明の第１実施例によるタッチパネルは、透明基板と、前記透明基板にメッシュ（ｍｅｓｈ）パターンに形成される電極と、前記透明基板にジグザグ（ｚｉｇｚａｇ）パターンに形成され、長さ方向に沿って交互に連続する第１ピーク及び第２ピークを有し、前記電極に連結される配線と、を含む。
【００１９】
本発明の第１実施例によるタッチパネルにおいて、前記電極は、同一形状の平行四辺形パターンが連続して配列されるメッシュパターンに形成され、前記電極の列パターンは、多数の前記平行四辺形パターンの第１対角線が第１方向の同一線上につながるように、前記平行四辺形パターンが第１方向に沿って連続して配列されていることができる。
【００２０】
本発明の第１実施例によるタッチパネルにおいて、前記配線は、前記電極の第１列パターンに近接して配置され、長さ方向を第１方向に形成することができる。
【００２１】
本発明の第１実施例によるタッチパネルにおいて、前記第１列パターン側に向かう前記配線の第１ピークは、前記第１列パターンを形成する前記平行四辺形パターンの第２対角線方向に位置する頂点のうち前記配線側に近い頂点に直接連結されることができる。
【００２２】
本発明の第１実施例によるタッチパネルにおいて、前記配線の第１ピーク間の幅は、前記平行四辺形パターンの第１対角線の幅と同一であることができる。
【００２３】
本発明の第１実施例によるタッチパネルにおいて、前記電極及び前記配線は、同一の材料で一体に形成されることができる。
【００２４】
本発明の第１実施例によるタッチパネルにおいて、前記透明基板は、活性領域と非活性領域とに区画され、前記電極及び前記配線は前記活性領域に形成されることができる。
【００２５】
本発明の第２実施例によるタッチパネルは、透明基板と、前記透明基板にメッシュ（ｍｅｓｈ）パターンに形成され、前記メッシュパターンに切開部が形成されることで第１電極と第２電極とに区画される電極アレイと、前記透明基板にジグザグ（ｚｉｇｚａｇ）パターンに形成され、長さ方向に沿って交互に連続する第１ピーク及び第２ピークを有する第１配線と、第２配線とを含み、前記第１配線は前記第１電極に連結され、前記第２配線は前記第２電極に連結される配線アレイと、を含む。
【００２６】
本発明の第２実施例によるタッチパネルにおいて、前記第１電極及び前記第２電極は、前記電極アレイを形成する前記メッシュパターンに切開部が横方向に沿って形成されて縦方向に配置されることができる。
【００２７】
本発明の第２実施例によるタッチパネルにおいて、前記第１電極及び前記第２電極は、同一形状の平行四辺形パターンが連続して配列されるメッシュパターンに形成され、前記第１電極の列パターン及び前記第２電極の列パターンは、多数の前記平行四辺形パターンの第１対角線が縦方向の同一線上につながるように、前記平行四辺形パターンが縦方向に連続して配列されていることができる。
【００２８】
本発明の第２実施例によるタッチパネルにおいて、前記第１電極の第１列パターンは、前記第２電極の第２列パターンと同一線上に形成されることができる。
【００２９】
本発明の第２実施例によるタッチパネルにおいて、前記第１配線は、前記第１電極の第１列パターンに近接して配置され、長さ方向を縦方向に形成し、前記第２配線は、前記第２電極の第１列パターンに近接して配置され、長さ方向を縦方向に形成することができる。
【００３０】
本発明の第２実施例によるタッチパネルにおいて、前記第１配線及び前記第２配線の前記第１ピーク間の幅は、前記平行四辺形パターンの第１対角線の幅と同一であることができる。
【００３１】
本発明の第２実施例によるタッチパネルにおいて、前記第１電極の第１列パターン側に向かう前記第１配線の第１ピークは、前記第１電極の第１列パターンを形成する前記平行四辺形パターンの頂点のうち前記第１配線側に向かう頂点に直接連結されることができる。
【００３２】
本発明の第２実施例によるタッチパネルにおいて、前記第２電極の第１列パターン側に向かう前記第２配線の第１ピークは、前記第２電極の第１列パターンを形成する前記平行四辺形パターンの頂点のうち前記第２配線側に向かう頂点に直接連結されることができる。
【００３３】
本発明の第２実施例によるタッチパネルにおいて、前記透明基板には、前記第１配線と前記第２配線とが互いに隣接して平行に配置される隣接区間が形成されることができる。
【００３４】
本発明の第２実施例によるタッチパネルにおいて、前記隣接区間で、前記第１配線の第２ピークと、前記第２配線の第１ピークとが互いに対向して離隔していることができる。
【００３５】
本発明の第２実施例によるタッチパネルにおいて、前記第１配線の第２ピーク及び前記第２配線の第１ピークのうち何れか一つまたは両方の端部が、縦方向を長さ方向にする直線部であることができる。
【００３６】
本発明の第２実施例によるタッチパネルにおいて、前記直線部の上側または下側に、横方向に突出するように折り曲げられた突出部が形成されることができる。
【００３７】
本発明の第２実施例によるタッチパネルにおいて、前記第１配線の第２ピーク及び前記第２配線の第１ピークのうち何れか一つまたは両方の端部が、対角方向を長さ方向にする直線部であることができる。
【００３８】
本発明の第２実施例によるタッチパネルにおいて、前記第１配線の第２ピークの端部及び前記第２配線の第１ピークの端部が、対角方向を長さ方向にする直線部からなり、前記第１配線の直線部と前記第２配線の直線部が、互いに平行であることができる。
【００３９】
本発明の第２実施例によるタッチパネルにおいて、前記隣接区間で、前記第１配線の第１ピークと前記第２配線の第２ピークとの間の直線距離が、前記平行四辺形パターンの第２対角線の幅と同一であり、前記第１配線の第１ピークと前記第２配線の第２ピークとの間を連結する直線方向が、前記直線方向に配置された前記平行四辺形パターンの第２対角線方向と一致することができる。
【００４０】
本発明の第２実施例によるタッチパネルにおいて、前記電極アレイ及び前記配線アレイは、同一の材料で形成されることができる。
【００４１】
本発明の第２実施例によるタッチパネルにおいて、前記透明基板は、活性領域と非活性領域とに区画され、前記電極アレイ及び前記配線アレイは、前記活性領域に形成されることができる。
【発明の効果】
【００４２】
本発明によると、配線または配線アレイが電極または電極アレイを形成するメッシュパターンと調和をとり、電極または電極アレイとともに全体的に均一に見えるパターンを有することになる。これにより、配線または配線アレイが透明基板の活性領域に配置される場合にも、良好なタッチパネルの視認性が得られる。
【００４３】
また、上記の利点により、透明基板の非活性領域を縮小することができ、透明基板の非活性領域を縮小することにより、タッチパネルのベゼル部の幅を縮小することができる。これにより、タッチパネルの構造を小型化し、同一のタッチパネル面積において画面領域がより広くなるという利点を有する。
【図面の簡単な説明】
【００４４】
【図１】本発明の第１実施例によるタッチパネルの透明基板を示した平面図である。
【図２】本発明の第１実施例によるタッチパネルの電極を示した平面図である。
【図３】図２に図示された電極の要部拡大図である。
【図４】図２に図示された電極に配線が連結された構造を示した要部平面図である。
【図５】本発明の第２実施例によるタッチパネルの電極アレイ及び配線アレイを示した要部平面図である。
【図６】図５に図示された配線アレイを拡大した要部拡大図である。
【図７】図５に図示された配線アレイの様々な他の例を図示した要部拡大図である。
【図８】図５に図示された配線アレイの様々なまた他の例を図示した要部拡大図である。
【図９】図８のＡ領域に図示された直線部の他の例を示す要部拡大図である。
【図１０】図８のＡ領域に図示された直線部のまた他の例を示す要部拡大図である。
【発明を実施するための形態】
【００４５】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００４６】
以下、添付図面を参照して、本発明の好ましい実施例を詳細に説明する。
【００４７】
図１は、本発明の第１実施例によるタッチパネルの透明基板を示した平面図であり、図２は、本発明の第１実施例によるタッチパネルの電極を示した平面図であり、図３は、図２に図示された電極の要部拡大図であり、図４は、図２に図示された電極に配線が連結された構造を示した要部平面図である。
【００４８】
図１から図４に図示されたように、本発明の第１実施例によるタッチパネルは、透明基板１００と、前記透明基板１００にメッシュ（ｍｅｓｈ）パターンに形成される電極２００と、前記透明基板１００にジグザグ（ｚｉｇｚａｇ）パターンに形成され、長さ方向に沿って交互に連続する第１ピーク及び第２ピークを有し、前記電極２００に連結される配線３００と、を含む。
【００４９】
透明基板１００は、電極２００及び配線３００が形成される領域を提供する機能を果たす。透明基板１００は、電極２００及び配線３００を支持する支持力と、画像表示装置で提供する画像をユーザが認識するための透明性を備えなければならない。
【００５０】
前記支持力及び透明性を考慮すると、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００５１】
一方、透明基板１００は、タッチパネルの最外側に備えるウィンドウ（Ｗｉｎｄｏｗ）であることができる。透明基板１００がウィンドウである場合、後述する電極２００がウィンドウに直接形成されるため、タッチパネルの製造工程において、別の透明基板１００に電極２００を形成した後、ウィンドウに付着する工程を省略することができ、タッチパネルは、その全体的な厚さを減少させることができる。
【００５２】
透明基板１００は、図１に図示されたように、活性領域１０１と、この活性領域１０１の縁部の外側に配置される非活性領域１０２とに区画されることができる。活性領域１０１は、ユーザによるタッチ作用が行われる領域であり、ユーザがタッチパネルの動作場面を視覚的に確認する画面領域である。また、非活性領域１０２は、透明基板１００の縁部またはウィンドウの縁部に形成される黒色または白色のベゼル部（不図示）により覆われて外部に露出されない領域である。
【００５３】
電極２００は、ユーザのタッチ時に信号を発生してコントローラ（不図示）でタッチ座標を認識できるようにする機能を果たす。電極２００から発生する信号は、後述する配線３００を介してコントローラ（不図示）に伝達される。
【００５４】
電極２００は、透明基板１００にメッシュ（ｍｅｓｈ）パターンに形成される。電極２００を形成するメッシュパターンは、具体的な一例として、図２に図示されたように、同一形状の平行四辺形パターンＰが連続して配列されるパターンからなることができる。図２及び図３は、一例として、平行四辺形パターンＰが菱形からなる例を図示している。但し、平行四辺形パターンＰは、四つの辺の長さが必ずしも同一である必要はない。
【００５５】
電極２００の列パターンＦは、第１方向、例えば、図２に基づき、縦方向に連続して配列された多数の平行四辺形パターンＰからなることができる。この際、多数の平行四辺形パターンＰは、平行四辺形パターンＰの第１対角線Ｄ１が第１方向の同一線上につながるように、第１方向に連続して配列されることで、前記列パターンＦを形成することができる。また、電極２００は、前記列パターンＦが第１方向に直交する方向、即ち、図２に基づき、横方向に連続して配列されるパターンからなることができる。
【００５６】
以下、説明の便宜上、電極２００の何れの一側の端部、例えば、図３に基づき、電極２００の左側端部に配置された電極２００の列パターンＦから順に、第１列パターンＦ１、第２列パターンＦ２、第３列パターンＦ３などと示す。
【００５７】
配線３００は、前記電極２００に電気的に連結され、電極２００から発生するタッチ信号をコントローラに伝達する機能を果たす。配線３００は、一端部が電極２００に連結され、他端部が図１に図示された透明基板１００の非活性領域１０２に位置することができる。また、コントローラに連結されるフレキシブルプリント回路基板（ＦＰＣＢ；Ｆｌｅｘｉｂｌｅ  Ｐｒｉｎｔｅｄ  Ｃｉｒｃｕｉｔ  Ｂｏａｒｄ）を配線３００の他端部に電気的に接続することができる。
【００５８】
一方、電極がメッシュパターンに形成される場合で、電極に連結される配線が従来のタッチパネルの構造のように直線状に形成されると、配線は、透明基板１００の活性領域１０１に配置することができない。配線が電極を形成するパターンと均一な形状を有することができず、タッチパネルの視認性が劣化するためである。
【００５９】
従って、直線状に形成される配線は、非活性領域１０２に形成されるしかなく、そのため、従来のタッチパネルは、非活性領域１０２が広く形成されるという欠点がある。
【００６０】
本発明は、配線と電極が全体的に均一なパターンを成すようにすることで、配線が透明基板１００の活性領域１０１に配置されてもタッチパネルの良好な視認性を維持すると共に、非活性領域１０２を縮小することをその解決すべき課題としている。
【００６１】
本実施例は、前記課題を解決するために、図４に図示されたように、配線３００が透明基板１００にジグザグ（ｚｉｇｚａｇ）パターンに形成される。配線３００がジグザグパターンに形成される理由は、次のとおりである。
【００６２】
図３に図示された第１列パターンＦ１を左右に半分にしてみると、第１列パターンＦ１の左側部分は、縦方向に沿って連続して山と谷が形成されるジグザグ状を有することが分かる。従って、配線３００が第１列パターンＦ１の左側の縦方向に沿って形成されるジグザグ状に対応する形状に形成され、透明基板１００で電極２００を形成するメッシュパターンと適切に調和する位置に形成されると、電極２００と配線３００は、全体的に均一なパターンを成すことができる。電極２００と配線３００がこのように全体的に均一なパターンを示すと、配線３００は、電極２００と共に透明基板１００の活性領域１０１に形成されても、タッチパネルの視認性が劣化する問題が生じない。
【００６３】
このために、配線３００は、ジグザグパターンに形成される。配線３００は、ジグザグパターンに形成されることで、長さ方向に沿って交互に連続する山と谷が形成され、この際、山と谷のうち何れか一つは、第１ピーク３０１となり、他の一つは、第２ピーク３０２となる。
【００６４】
配線３００は、電極２００と共に均一なパターンを示す透明基板１００上の様々な位置に形成することができる。配線３００の配置位置に関する具体的な一例として、配線３００は電極２００の左側辺を形成する第１列パターンＦ１に近接して配置され、透明基板１００に長さ方向を第１方向に形成することができる。
【００６５】
この際、配線３００は、別の連結ライン（不図示）で電極２００の第１列パターンＦ１に連結されることができる。または、図４に図示されたように、第１列パターンＦ１側に向かう配線３００の第１ピーク３０１が第１列パターンＦ１に直接連結されることもできる。後者の構造について、より具体的に説明すると、第１列パターンＦ１を形成する平行四辺形パターンＰは、第２対角線Ｄ２（図２参照）の方向に位置する頂点Ｖａのうち何れか一つが配線３００側の近くに位置する。配線３００は、図４に図示されたように、第１ピーク３０１の頂点がこの頂点Ｖａに直接連結されることで電極２００に連結されることができる。
【００６６】
また、配線３００は、長さ方向に沿って形成される多数の第１ピーク３０１のうち何れか一つのみが第１列パターンＦ１に連結されることもでき、または図４に図示されたように、多数の第１ピーク３０１が第１列パターンＦ１の多数の頂点Ｖａにそれぞれ対応して連結されることもできる。このため、配線３００の第１ピーク３０１間の幅Ｗ１は、平行四辺形パターンＰの第１対角線Ｄ１の幅と同一であることができる。
【００６７】
さらに、配線３００は、第１ピーク３０１から第２ピーク３０２に連結されるラインＬ１２と、ラインＬ１２に対向する平行四辺形パターンＰの一つの辺Ｐ１とがほぼ平行し、第２ピーク３０２から第１ピーク３０１に連結されるラインＬ２１と、ラインＬ２１に対向する平行四辺形パターンＰの他の辺Ｐ２とがほぼ平行して形成されることができる。この場合、配線３００において、幅Ｗ２が列パターンＦの幅Ｗ３の１／２に該当する幅を有するか、列パターンＦの幅Ｗ３の１／２側に近い幅を有することができる。配線３００がこのように形成されることで、配線３００は電極２００を形成するメッシュパターンと調和することができ、配線３００と電極２００は、全体的に均一なパターンを成すことができる。
【００６８】
一方、前記電極２００及び配線３００は、電気伝導度が高く、加工が容易な金属からなることができる。金属は、例えば、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせからなる金属を用いることができる。電極２００と配線３００は、メッキ工程や蒸着工程などの様々な方法により、透明基板１００に形成することができ、この際、電極２００と配線３００は、一体に形成することも可能である。
【００６９】
それだけでなく、電極２００と配線３００は、前記金属以外にも銀塩乳剤層を露光／現像して形成される金属銀で形成することもできる。
【００７０】
以下、添付の図面を参照して、本発明の第２実施例について詳細に説明する。但し、第１実施例で説明した内容と重複する内容は、以下で省略する。
【００７１】
図５は、本発明の第２実施例によるタッチパネルの電極アレイ及び配線アレイを示した要部平面図であり、図６は、図５に図示された配線アレイを拡大した要部拡大図であり、図７は、図５に図示された配線アレイの他の例を図示した要部拡大図であり、図８は、図５に図示された配線アレイのまた他の例を図示した要部拡大図である。
【００７２】
図５から図８に図示されたように、本実施例によるタッチパネルは、透明基板１００（図１参照）と、前記透明基板１００にメッシュ（ｍｅｓｈ）パターンに形成され、前記メッシュパターンに切開部４０１が形成されることで第１電極４１０と第２電極４２０とに区画される電極アレイ４００と、前記透明基板１００にジグザグ（ｚｉｇｚａｇ）パターンに形成され、長さ方向に沿って交互に連続する第１ピーク５１１、５２１及び第２ピーク５１２、５２２を有する第１配線５１０と、第２配線５２０とを含み、前記第１配線５１０は、前記第１電極４１０に連結され、前記第２配線５２０は、前記第２電極４２０に連結される配線アレイ５００と、を含む。
【００７３】
電極アレイ４００は、図５に図示されたように、透明基板１００に、メッシュパターンに形成される。電極アレイ４００を形成するメッシュパターンは、透明基板１００の活性領域１０１で一定領域を占めて形成されることができる。
【００７４】
電極アレイ４００は、電極アレイ４００を形成するメッシュパターンに切開部４０１が形成されることで、第１電極４１０と第２電極４２０とに区画されることができる。または、第１電極４１０と第２電極４２０を含む三つ以上の電極に区画されることもできる。
【００７５】
図５は、電極アレイ４００を形成するメッシュパターンに、例えば、横方向に沿って切開部４０１が形成されることで、第１電極４１０と第２電極４２０とに区画される例を、図示している。この際、第１電極４１０と第２電極４２０は、縦方向に配置される。
【００７６】
第１電極４１０及び第２電極４２０は、第１電極４１０と第２電極４２０との間に形成されたメッシュパターンが分離されることで、互いに区画されることができるが、切開部４０１は、この分離された部位を意味する。
【００７７】
電極アレイ４００を形成するメッシュパターンは、第１実施例の電極２００を形成するメッシュパターンと同一である。また、電極アレイ４００で区画される電極４１０、４２０は、様々な輪郭を有することができる。
【００７８】
配線アレイ５００は、前記のように、電極アレイ４００が第１電極４１０と第２電極４２０とに区画される場合、第１電極４１０に連結される第１配線５１０と、第２電極４２０に連結される第２配線５２０と、を含んでなることができる。また、配線アレイ５００は、電極アレイ４００が第１電極４１０及び第２電極４２０を含む三つ以上の電極に区画される場合、第１配線５１０と第２配線５２０からなるか、または第１配線５１０と第２配線５２０を含む三つ以上の配線からなることができる。
【００７９】
第１配線５１０及び第２配線５２０は、第１実施例で説明した配線３００（図４参照）と同様に、図５及び図６に図示されたように、第１ピーク５１１、５２１及び第２ピーク５１２、５２２を有するジグザグパターンに形成される。
【００８０】
ここで、第１配線５１０は、第１電極４１０に連結される。第１配線５１０は、例えば、第１電極４１０の第１列パターン１Ｆ１に近接して配置され、長さ方向が第１方向、例えば、図５に基づき、縦方向に形成されることができる。また、第１配線５１０は、第１ピーク５１１が第１電極４１０の第１列パターン１Ｆ１の近接する頂点Ｖａに直接連結されることができる。
【００８１】
第２配線５２０は、第２電極４２０に連結される。第２配線５２０は、第２電極４２０の第１列パターン２Ｆ１に近接して配置され、長さ方向を縦方向に形成することができ、第２配線５２０また第１配線５１０と同様に、第１ピーク５２１が第２電極４２０の第１列パターン２Ｆ１に近接する頂点Ｖａに直接連結されることができる。
【００８２】
この際、第２配線５２０が第１配線５１０の長さ方向に平行な方向に長さ方向が形成され、第１配線５１０と重なり合わないように、第２電極４２０の第１列パターン２Ｆ１が第１電極４１０の第１列パターン１Ｆ１より横方向に突出する形状に形成されることができる。即ち、第２電極４２０は、図５に図示されたように、第２電極４２０の第２列パターン２Ｆ２が第１電極４１０の第１列パターン１Ｆ１と同一線上に形成される形状に形成されることができ、この場合、第２電極４２０の左側辺は、第１電極４１０の左側辺より列パターンＦの半幅だけ左側に突出する形状を有する。従って、第２配線５２０は、第２電極４２０の第１列パターン２Ｆ１に直接連結され、長さ方向を縦方向に形成しても第１配線５１０と重なり合うことなく平行に形成されることができる。
【００８３】
一方、図５に表示された参照符号５３０は、第１配線５１０の端部から第１列パターン２Ｆ１の最上側に位置する平行四辺形パターンＰの頂点Ｖｂに連結される連結パターンを示したものである。上述したように、第２電極４２０の左側辺は、第１電極４１０の左側辺より左側に突出して形成されるため、第１配線５１０の端部と第２電極４２０の第１列パターン２Ｆ１との間には、パターンが連続していない空間が形成されることができる。
【００８４】
このような空間は、タッチパネルの視認性を劣化させる要素になり得る。従って、第１配線５１０の端部で第１配線５１０のパターンが連続する形状を有する連結パターン５３０が形成され、この連結パターン５３０が第２電極４２０の第１列パターン２Ｆ１の平行四辺形パターンＰの頂点Ｖｂに連結されることで、電極アレイ４００と配線アレイ５００は、前記空間が形成されることなく、全体的に均一なパターンを成すことができる。この際、連結パターン５３０は、第１配線５１０と第２電極４２０との間が絶縁されることができるように、図示されたように、切開部５３１を形成することができる。
【００８５】
第１配線５１０及び第２配線５２０は、多数の第１ピーク５１１、５２１がそれぞれ第１列パターン１Ｆ１、２Ｆ１の多数の頂点Ｖａに対応して直接連結されることができる。このため、第１配線５１０の第１ピーク５１１間の幅１Ｗ１（図６参照）及び第２配線５２０の第１ピーク５２１間の幅２Ｗ１（図６参照）は、平行四辺形パターンＰの対角線Ｄ１の幅と同一であることができる。
【００８６】
さらに、第１配線５１０及び第２配線５２０は、電極アレイ４００及び配線アレイ５００が全体的に均一なパターンを示すように、第１実施例と同様に、第１ピーク５１１、５２１から第２ピーク５１２、５２２に連結されるラインと、前記ラインに対向する平行四辺形パターンＰの一つの辺とがほぼ平行であることができ、第２ピーク５１２、５２２から第１ピーク５１１、５２１に連結されるラインと、前記ラインに対向する平行四辺形パターンＰの他の辺とがほぼ平行であることができる。
【００８７】
一方、透明基板１００は、図５及び図６に図示されたように、第１配線５１０と第２配線５２０が互いに隣接して平行に配置される隣接区間Ｓを形成することができる（図１参照）。
【００８８】
この際、隣接区間Ｓで、第１配線５１０の第２ピーク５１２と第２配線５２０の第１ピーク５２１とが互いに対向し、互いに絶縁されるように離隔することができる。
【００８９】
但し、前記のように、第１ピーク５１１、５２１間の幅１Ｗ１、２Ｗ１が平行四辺形パターンＰの第１対角線Ｄ１幅と同一であり、第１ピーク５１１、５２１及び第２ピーク５１２、５２２を連結するラインが平行四辺形パターンＰの対向する辺と平行に形成され、配線アレイ５００の左右幅が列パターンＦの左右幅と同一であるように形成される場合、第１配線５１０の第２ピーク５１２と第２配線５２０の第１ピーク５２１は、互いに離隔することなく互いに連結される場合が生じ得る。従って、第１配線５１０の第２ピーク５１２と第２配線５２０の第１ピーク５２１が互いに離隔することができるように、図７に図示されたように、第１配線５１０の第２ピーク５１２及び第２配線５２０の第１ピーク５２１のうち何れか一つの端部が、縦方向を長さ方向にする直線部５０１であることができる。または、図８に図示されたように、第１配線５１０の第２ピーク５１２及び第２配線５２０の第１ピーク５２１の両方の端部が、直線部５０１であることもできる。
【００９０】
隣接区間Ｓで、二つの配線５１０、５２０は、互いに対向する第１ピーク５２１及び第２ピーク５１２のうち何れか一つまたは両方の端部が前記直線部５０１からなることで、第１ピーク５１１、５２１及び第２ピーク５１２、５２２を連結するラインＬ１２、Ｌ２１が平行四辺形パターンＰの対向する辺Ｐ１、Ｐ２と平行に形成されても、第１ピーク５２１と第２ピーク５１２との間が離隔される空間を確保することができる。
【００９１】
但し、第１配線５１０または第２配線５２０は、隣接区間Ｓで必ずしも直線部５０１が形成される必要はない。第１ピーク５１１、５２１及び第２ピーク５１２、５２２を連結するラインが、平行四辺形パターンＰの対向する辺が有する傾斜角と相違する角度で形成されたり、または第１配線５１０と第２配線５２０との間の離隔距離を調整することで（即ち、配線アレイ５００の左右の幅を調整することで）、図５及び図６に図示されたように、第１配線５１０及び第２配線５２０は、前記直線部５０１が形成されなくても、第１ピーク５２１と第２ピーク５１２との間が互いに離隔されることがある。
【００９２】
一方、第１配線５１０及び第２配線５２０によって形成される隣接区間Ｓのパターンは、電極アレイ４００を形成するメッシュパターンと全体的に均一に見えることが好ましい。
【００９３】
従って、上述したように、第１配線５１０及び第２配線５２０の第１ピーク５１１、５２１間の幅１Ｗ１、２Ｗ１が平行四辺形パターンＰの第１対角線Ｄ１の幅と同一であり、第１ピーク５１１、５２１及び第２ピーク５１２、５２２を連結するラインが平行四辺形パターンＰの対向する辺とほぼ平行になるように形成され、また隣接区間Ｓで第１配線５１０の第２ピーク５１２と第２配線５２０の第１ピーク５２１とが互いに対向するように形成される場合、隣接区間Ｓは、図６に図示されたように、第１配線５１０の第１ピーク５１１及び第２配線５２０の第２ピーク５２２を連結する直線ＰＬの距離が平行四辺形パターンＰの第２対角線Ｄ２の幅と同一であることができる。また、前記直線ＰＬの方向は、この直線ＰＬの方向側に配置された平行四辺形パターンＰａの第２対角線Ｄ２の方向と同一であることができる。
【００９４】
配線アレイ５００がこのように形成されることで、隣接区間Ｓは、第１配線５１０及び第２配線５２０によって、平行四辺形パターンＰと類似したパターンが縦方向に連続して配列される形状を有する。従って、配線アレイ５００は、電極アレイ４００と全体的に均一なパターンに示され、透明基板１００の活性領域１０１に電極アレイ４００と共に形成されても、タッチパネルの良好な視認性を維持することができる。
【００９５】
一方、本実施例は、第１実施例と同様に電極アレイ４００を形成するメッシュパターン、また、配線アレイ５００を形成するパターンが同一の材料で形成されることができる。具体的な材料及び形成方法は、第１実施例で既に説明したため省略する。
【００９６】
一方、前記直線部５０１は、図７及び図８に図示されたように、第１配線５１０または第２配線５２０の長さ方向に沿って同じ間隔で離隔しており、同一線上に直線につながる長さ方向を有して配置することができる。
【００９７】
この場合、外部光が直線部５０１に達した場合、直線部５０１で生じる光による現象、即ち、光吸収または光反射は、離隔している直線部５０１ごとにほぼ同様に発生する。
【００９８】
また、直線部５０１が同一線上に直線につながる長さ方向を有して配置されるため、前記光による現象は、縦方向につながる同一線上に連続して発生し、これにより縦方向につながる一つの光経路を形成することができる。このような光経路は、タッチパネルを見る角度によってユーザに視認される恐れがある。
【００９９】
従って、このような問題点まで補完することができるように、即ち、縦方向につながる一つの光経路が生じないように、前記直線部５０１の他の例を挙げることができる。
【０１００】
以下、図９及び図１０を参照して、直線部５０１の他の例について詳細に説明する。
【０１０１】
図９は、図８のＡ領域に図示された直線部５０１の他の例を示す要部拡大図であり、図１０は、図８のＡ領域に図示された直線部５０１のまた他の例を示す要部拡大図である。
【０１０２】
図７及び図８に図示された直線部５０１と異なり、図９に図示されたように、直線部５０１の上側または下側に突出部５０２がさらに形成される例が挙げられる。突出部５０２は、直線部５０１の上側または下側に折り曲げられて横方向に突出形成される。
【０１０３】
図９に図示された例のように、第１配線５１０の第２ピーク５１２及び第２配線５２０の第１ピーク５２１両方の端部が直線部５０１である場合、第１配線５１０の直線部５０１及び第２配線５２０の直線部５０１のうち何れか一つのみに突出部５０２が形成されることもでき、または、図９に図示されたように、両方に突出部５０２が形成されることもできる。両方に突出部５０２が形成される場合、図９に図示されたように、第１配線５１０または第２配線５２０のうち何れか一つである第２配線５２０の直線部５０１の上側、他の一つである第１配線５１０の直線部５０１の下側に、突出部５０２が形成されることができる。この際、突出部５０２は、対向するピーク５１２、５２１に向かって突出するように形成されることができる。
【０１０４】
図示されてはいないが、第１配線５１０の第２ピーク５１２及び第２配線５２０の第１ピーク５２１のうち何れか一つの端部のみが直線部５０１である場合(図７参照)にも、この直線部５０１に前記突出部５０２を形成することができる。
【０１０５】
直線部５０１にこのような突出部５０２が形成されることにより、光が達した時に突出部５０２と直線部５０１において、それぞれ異なる光吸収または光反射などの現象が現われる。従って、縦方向につながるように形成される前記光経路は、図９に図示された直線部５０１の例の場合、形成されない。
【０１０６】
図８に図示された直線部５０１と異なるまた他の例として、図１０に図示されたように、第１配線５１０の第２ピーク５１２及び第２配線５２０の第１ピーク５２１両方の端部が対角方向を長さ方向にする直線部５０３が挙げられる。但し、このような例に限定されず、第１配線５１０の第２ピーク５１２及び第２配線５２０の第１ピーク５２１のうち何れか一つの端部のみが対角方向を長さ方向にする直線部５０３であることもできる。
【０１０７】
図１０に図示された例のように、第１配線５１０の第２ピーク５１２及び第２配線５２０の第１ピーク５２１両方の端部が対角方向を長さ方向にする直線部５０３である場合、互いに対向する直線部５０３は、互いに平行であることができる。また、互いに平行な直線部５０３の間で形成される空間の長さ方向は、対角方向に形成される。
【０１０８】
従って、図１０に図示された直線部５０３の例によると、配線アレイ５００の長さ方向に沿って離隔配置される直線部５０３は、同一線上に直線につながる配置形態を有しない。また、前記のように、直線部５０３間の空間は、対角方向を長さ方向にするため、直線部５０３間の空間は、配線アレイ５００の長さ方向に沿って同一線上に直線状につながらない。
【０１０９】
そのため、縦方向につながるように形成される前記光経路は、図１０に図示された直線部５０３の例の場合にも形成されない。
【０１１０】
本発明は、前記説明された実施例に関する説明から分かるように、電極と配線、または電極アレイと配線アレイが全体的に均一なパターンを示すように形成されるため、配線または配線アレイを電極または電極アレイと共に透明基板の活性領域に配置することができ、これにより、透明基板の非活性領域を縮小することができる。
【０１１１】
以上、本発明を具体的な実施例に基づいて詳細に説明したが、これは本発明を具体的に説明するためのものであり、本発明はこれに制限されず、該当分野における通常の知識を有する者であれば、本発明の技術的思想内にての変形や改良が可能であることは明白であろう。
【０１１２】
本発明の単純な変形乃至変更はいずれも本発明の領域に属するものであり、本発明の具体的な保護範囲は添付の特許請求の範囲により明確になるであろう。
【産業上の利用可能性】
【０１１３】
本発明は、タッチパネルに適用可能である。
【符号の説明】
【０１１４】
１００  透明基板
１０１  活性領域
１０２  非活性領域
２００  電極
３００  配線
３０１  第１ピーク
３０２  第２ピーク
４００  電極アレイ
４０１  切開部
４１０  第１電極
４２０  第２電極
５００  配線アレイ
５０１  直線部
５０２  突出部
５０３  直線部
５１０  第１配線
５１１  第１ピーク
５１２  第２ピーク
５２０  第２配線
５２１  第１ピーク
５２２  第２ピーク
５３０  連結パターン
５３１  切開部
【図１】
2014038589.tif 000003
【図２】
2014038589.tif 000004
【図３】
2014038589.tif 000005
【図４】
2014038589.tif 000006
【図５】
2014038589.tif 000007
【図６】
2014038589.tif 000008
【図７】
2014038589.tif 000009
【図８】
2014038589.tif 000010
【図９】
2014038589.tif 000011
【図１０】
2014038589.tif 000012